(57)【要約】【課題】既に録画した番組に設定されたチャプター位置情報に基づいて、新規に録画する録画番組のチャプター位置情報を設定する。【解決手段】録画番組情報記録部１０１に保持された録画番組１０２の番組Ａに対し、チャプター位置情報記録部１０４に保持されたチャプター位置情報１０５からチャプター情報１を選択することにより、ユーザーは容易に番組Ａに対しチャプター情報１を設定できる。ユーザーが録画番組１０２の番組Ｚに対し、手動でチャプター位置を設定した場合は、そのチャプター位置情報Ｚは録画番組情報記録部１０１に保持されるとともに、チャプター位置情報記録部１０４にも自動的に保持される。このチャプター位置情報Ｚは録画番組Ｚを削除しても保持され、他の録画番組に対して適用することが可能となる。  【選択図】  図１
2005244717.tif 000002
【特許請求の範囲】
【請求項１】
番組データを録画番組記録部に記録する録画手段と、
この録画番組記録部に記録された番組データの区切り情報としてのチャプター位置情報を、前記番組データと共に前記録画番組記録部に記録するチャプター位置情報挿入手段と、
この挿入したチャプター位置情報を、前記録画番組記録部とは別にチャプター位置情報記録部に記録するチャプター位置情報記録手段と
を具備したことを特徴とする録画再生装置。
【請求項２】
新規に番組データを記録する際、前記チャプター位置情報挿入手段は、前記チャプター位置情報記録部に記録されたチャプター位置情報を読み出し、読み出したチャプター位置情報と同一のチャプター位置情報を前記新規の番組データと共に記録することを特徴とする請求項１記載の録画再生装置。
【請求項３】
前記チャプター位置情報記録部に記録されるチャプター位置情報は、外部のネットワーク、または放送波から取得することを特徴とする請求項１記載の録画再生装置。
【請求項４】
前記チャプター位置情報記録手段は、前記番組データに付された属性情報と前記チャプター位置情報を対応づけて前記チャプター位置情報記録部に記録し、
前記チャプター位置情報挿入手段は、新規に記録した番組データに付された属性情報と、前記チャプター位置情報記録部に記録された属性情報を比較し、属性情報が一致したチャプター位置情報に基づいて、前記新規に記録した番組データにチャプター位置情報を挿入することを特徴とする請求項２記載の録画再生装置。
【発明の詳細な説明】
【技術分野】
【０００１】
本発明は放送番組などの動画データを記録可能な録画再生装置に関し、特に録画した動画データの区切りや目印として使用されるチャプター位置情報の挿入方法に関するものである。
【背景技術】
【０００２】
ＨＤＤや書き込み可能なＤＶＤ等の記録デバイスへテレビ番組等のデジタル映像を録画・再生できる装置では、録画番組にチャプター位置を複数設定することができる。チャプターは録画番組内の区切りとして利用され、再生中のチャプター間スキップや、録画情報を編集する際の目印として使われる。
【特許文献１】特開２００２−２７９７６５号公報  （図１）
【発明の開示】
【発明が解決しようとする課題】
【０００３】
しかしこれまでの録画再生装置では、チャプター位置情報は録画番組ごとに設定され、その録画番組を削除してしまうとチャプター位置情報も削除されていた。このように録画番組ごとにチャプター位置情報を設定することは、使用者にとって非常に煩雑な作業となっているという問題点があった。
【０００４】
そこで本発明はこのような課題を解決するため、既に録画した番組に設定されたチャプター位置情報に基づいて、新規に録画する録画番組のチャプター位置情報を設定することが可能な録画再生装置を提供することを目的とするものである。
【課題を解決するための手段】
【０００５】
上記した課題を解決し目的を達成するために、番組データを録画番組記録部に記録する録画手段と、この録画番組記録部に記録された番組データの区切り情報としてのチャプター位置情報を、前記番組データと共に記録するチャプター位置情報挿入手段と、この挿入したチャプター位置情報を、前記録画番組記録部とは別にチャプター位置情報記録部に記録するチャプター位置情報記録手段とを具備したものである。
【０００６】
また本発明は上述した課題を解決するため、新規に番組データを記録する際、前記チャプター位置情報挿入手段は、前記チャプター位置情報記録部に記録されたチャプター位置情報を読み出し、読み出したチャプター位置情報と同一のチャプター位置情報を前記新規の番組データと共に記録するものである。
【０００７】
また本発明は上述した課題を解決するため、前記チャプター位置情報記録部に記録されるチャプター位置情報は、外部のネットワーク、または放送波から取得するものである。
【０００８】
また本発明は上述した課題を解決するため、前記チャプター位置情報記録手段は、前記番組データに付された属性情報と前記チャプター位置情報を対応づけて前記チャプター位置情報記録部に記録し、前記チャプター位置情報挿入手段は、新規に記録した番組データに付された属性情報と、前記チャプター位置情報記録部に記録された属性情報を比較し、属性情報が一致したチャプター位置情報に基づいて、前記新規に記録した番組データにチャプター位置情報を挿入するものである。
【発明の効果】
【０００９】
本発明によれば、既に録画した番組に設定されたチャプター位置情報に基づいて、新規に録画する録画番組のチャプター位置情報を設定することができる。
【発明を実施するための最良の形態】
【００１０】
以下、図面を参照して本発明の一実施形態を示す録画再生装置を説明する。
【００１１】
図１は本発明の一実施形態を示す録画再生装置のシステム概略図である。
【００１２】
ＨＤＤや書き込み可能なＤＶＤ等の記録デバイスへテレビ番組等のデジタル映像を録画・再生できる装置では、録画番組にチャプター位置を複数設定することができる。チャプターは録画番組内の区切りとして利用され、再生中のチャプター間スキップや、録画情報を編集する際の目印として使われる。
【００１３】
この録画再生装置では、従来、チャプター位置情報は録画番組ごとに設定され、その録画番組を削除してしまうとチャプター位置情報も削除されていたが、本実施形態ではチャプター位置情報を録画番組情報記録部１０１とは別に、チャプター位置情報記録部１０４でもチャプター位置情報を保持しておき、この情報を別の録画番組に対して再利用するものである。
【００１４】
録画番組情報記録部１０１に保持された録画番組１０２の番組Ａに対し、チャプター位置情報記録部１０４に保持されたチャプター位置情報１０５からチャプター情報１を選択することにより、ユーザーは容易に番組Ａに対しチャプター情報１を設定できる。
【００１５】
ユーザーが録画番組１０２の番組Ｚに対し、手動でチャプター位置を設定した場合は、そのチャプター位置情報Ｚは録画番組情報記録部１０１に保持されるとともに、チャプター位置情報記録部１０４にも自動的に保持される。このチャプター位置情報Ｚは録画番組Ｚを削除しても保持され、他の録画番組に対して適用することが可能となる。
【００１６】
チャプター位置情報記録部１０４に保持されるチャプター情報は、上記のようにユーザーが手動で設定したもの意外に、インターネット１０６上にある情報も利用可能である。また、放送波のデータサービス１０７からチャプター情報を入手し、保持することが可能である。
【００１７】
また、ここでいうチャプター位置情報は、ＤＶＤ記録フォーマットに基づいた時間情報、フレーム情報、ＧＯＰ情報、バイト値を利用して具体的なチャプター位置情報を特定し録画データ内に挿入するものである。
【００１８】
次に図２に、本録画再生装置の第１の実施形態を示す。
【００１９】
第１の実施形態は、録画再生装置上において、ドラマやアニメなど、コマーシャル（ＣＭ）が入る時間が一定の番組を繰り返し録画する場合のものである。毎週録画しているドラマ２０１に対し、ユーザーは手動でＣＭの前後の位置にチャプター位置を設定する。そのチャプター位置情報は自動的にチャプター位置情報記録部に保持される。次の週に録画された番組２０２に対し、先に保持したチャプター位置情報を適用することにより、容易にＣＭの前後にチャプター位置を設定できる。ユーザーはこのチャプター位置情報をＣＭスキップや、ドラマを編集する際にＣＭ部分のカットの目印として利用することができるものである。
【００２０】
次に図３に本実施形態の録画再生装置の第２実施形態を示す。
【００２１】
第２の実施形態では録画再生装置上において、例えば、朝のニュース番組など、各コーナーの開始時間が一定の番組を繰り返し録画する場合のものである。毎日録画しているニュース番組３０１に対し、ユーザーは天気予報コーナーの始まる時間にチャプターを一度設定する。そのチャプター位置情報は自動的にチャプター位置情報記録部に保持される。次回以降の録画番組３０２に対し、先に保持したチャプター位置情報を適用することにより、容易に天気予報コーナーの始まる位置にチャプター位置を設定できる。ユーザーはこのチャプター位置情報にスキップすることにより、視聴したい天気予報コーナーをすぐに視聴することができる。
【００２２】
次に図４のフローチャートを用いて本実施形態におけるチャプター情報の自動適用動作を説明する。
【００２３】
上述したような第１、第２の実施形態において、ユーザーが明示的に録画番組に対し適切なチャプター情報を指定する方法のほかに、番組タイトルや予約情報（チャンネルと開始時刻）からユーザーがルールを設定し、自動的にあるチャプター情報を適用させることもできる。本自動適用の実施形態では、ユーザーが以下の２つのルールを設定している場合を示している。
【００２４】
ルール１：例えば録画番組のタイトルが「ニュース８：００」である場合、録画番組のタイトル名を基にニュース用チャプター位置情報を適用する。
【００２５】
ルール２：録画番組のチャンネルが８、録画時間が２１：００から２２：００という場合等、予約録画の際に設定する予約録画情報に基づいてチャプター位置情報を適用する。
【００２６】
本実施例の動作として、ある番組録画が終了した後（ステップＳ４０）、チャプター位置情報の挿入処理が開始され（ステップＳ４１）、まず上記ルール１の判定を行うため、チャプター位置情報記憶部１０４を検索して、録画終了した番組に付されたタイトル名と一致するタイトル名のチャプター情報があるか否かを検出する（ステップＳ４２）。そして、タイトル名が一致するチャプター情報があった場合（ステップＳ４２のＹ）、録画番組はそのチャプター情報と同じ番組であると判断（例えば、毎日録画しているニュース）と判断し、ニュース用のチャプター位置情報を録画番組に対して自動的に適用する（ステップＳ４４）。尚、第２の実施形態の場合はこのルールにより自動的にチャプター情報を適用できる。一方、一致するタイトル名のチャプター情報が存在しなかった場合、次にルール２の判定を行うため、チャプター位置情報記憶部１０４を検索して、予約録画情報（チャンネル、録画時間帯）が一致するチャプター情報が存在するか否かを検出する（ステップＳ４３）。
【００２７】
そして、予約録画情報（チャンネル、録画時間帯）が一致するチャプター情報がチャプター位置情報記憶部１０４に存在していた場合は、そのチャプター情報に対応する同一のの番組である（例えば録画番組は毎週録画しているドラマである）と判断し、このチャプター情報をチャプター位置記憶部から読み出して、チャプター位置情報を録画番組に対して自動的に適用する（ステップＳ４６）。第１の実施形態の場合はこのルールにより自動的にチャプター位置を適用できる。一方訳録画情報が一致しなかった場合は、どちらのルールにも適応しないため、チャプター位置情報は自動設定されず、チャプター自動挿入処理は中止される（ステップＳ４７）。
【００２８】
以上説明したように、本実施形態によれば、既に録画した番組に設定されたチャプター位置情報に基づいて、新規に録画する録画番組のチャプター位置情報を設定することができる。
【図面の簡単な説明】
【００２９】
【図１】本発明の実施の形態による本発明の一実施形態を示す録画再生装置のシステム概略図である。
【図２】本発明の第１の実施形態を示すチャプター位置情報の設定方法を説明するための概念図である。
【図３】本発明の第２の実施形態を示すチャプター位置情報の設定方法を説明するための概念図である。
【図４】本発明の一実施形態による動作を説明するためのフローチャートである。
【符号の説明】
【００３０】
１０１…録画番組情報記憶部、１０２…番組名、１０３…チャプター情報、１０４…チャプター位置情報記憶部、１０５…チャプター情報。
【図１】
2005244717.tif 000003
【図２】
2005244717.tif 000004
【図３】
2005244717.tif 000005
【図４】
2005244717.tif 000006